(57)【特許請求の範囲】
【請求項１】
走行体に支持される旋回フレームと、該旋回フレームを周方向に取り囲むように設けた下部外殻と、旋回フレームの後端両側にそれぞれ下端部が下部外殻の外面に連なるように取り付けた柱部及び両柱部の上端部を連結する連結部を有する帯状で門型の外殻支持フレームと、該外殻支持フレームの後側縁部及び下部外殻の上縁に接し得るように蝶番を介して外殻支持フレームの連結部に連結した後側上部外殻と、外殻支持フレームの前方側に位置するように該外殻支持フレームに取り付けたシート台とを備えてなることを特徴とする作業機の上部旋回体。
【請求項２】
シート台の機体中心寄り縁部及び下部外殻の上縁に接し得るように蝶番を介してシート台の機体中心寄り縁部に連結した中間上部外殻を備えた請求項１に記載の作業機の上部旋回体。
【請求項３】
中間上部外殻の前側縁部が接し得るように旋回フレームに取り付けた仕切壁と、下部外殻の上縁に接し得るように蝶番を介して仕切壁に連結した前側上部外殻とを備えた請求項２に記載の作業機の上部旋回体。
【発明の詳細な説明】
【０００１】
【発明の属する技術分野】
本発明は作業機の上部旋回体に関するものである。
【０００２】
【従来の技術】
図４は従来の作業機の上部旋回体の一例を示すもので、この作業機の上部旋回体は、クローラ走行体に支持される旋回フレーム１と、該旋回フレーム１の後端寄り部分に旋回フレーム１の中心線に対してやや左側に位置するように取り付けた外殻支持フレーム２と、旋回フレーム１を周方向に取り囲むように設けた下部外殻３と、外殻支持フレーム２を上方から覆って前記の下部外殻３の上縁に接するように外殻支持フレーム２に取り付けた後側上部外殻４と、外殻支持フレーム２の前方側に位置するように外殻支持フレーム２に取り付けたシート台５と、後側上部外殻４の前縁右側寄り部分に連なるように旋回フレーム１に取り付けた前側上部外殻６とを備えている。
【０００３】
外殻支持フレーム２は、旋回フレーム１に立設した左右の柱部７，８と、両柱部７，８の上端部を連結する梁部材９とによって構成されており、該梁部材９には、キャノピ支柱１０の下端部が取り付けられている。
【０００４】
また、後側上部外殻４には、後方側へ向かって開口する点検口１１と、右方側へ向かって開口する点検口１２とが設けられている。
【０００５】
通常、点検口１１は、上縁部分が蝶番１３を介して後側上部外殻４に連結された蓋体１４によって閉止され、また、点検口１２は、後側上部外殻４にボルト締結された蓋体１５によって閉止されている。
【０００６】
図４に示す従来の作業機の上部旋回体では、下部外殻３及び後側上部外殻４の内部の機器を点検する場合、後方に向かって開口する点検口１１においては、該点検口１１に設けた蓋体１４を、蝶番１３を中心に回動して開放し、また、右方へ向かって開口する点検口１２においては、該点検口１２にボルト締結された蓋体１５を、ボルトを緩めて抜き取り且つ蓋体１５を取り除いて開放する必要がある。
【０００７】
【発明が解決しようとする課題】
ところが、後方へ向かって開口する点検口１１においては、蝶番１３を介して後側上部外殻４に連結されている蓋体１４を有するので、蓋体１４の開閉は容易であるものの、当該点検口１１の内方に設けられている外殻支持フレーム２が点検作業の障害となる。
【０００８】
また、右方へ向かって開口する点検口１２においては、後側上部外殻４にボルト締結された蓋体１５を有するので、取外し作業に手間が掛かり、開閉が容易ではないという問題がある。
【０００９】
本発明は上述した実情に鑑みてなしたもので、外殻内部の点検作業を容易に行ない得る作業機の上部旋回体を提供することを目的とするものである。
【００１０】
【課題を解決するための手段】
上記目的を達成するため、本発明の請求項１に記載の作業機の上部旋回体では、走行体に支持される旋回フレームと、該旋回フレームを周方向に取り囲むように設けた下部外殻と、旋回フレームの後端両側にそれぞれ下端部が下部外殻の外面に連なるように取り付けた柱部及び両柱部の上端部を連結する連結部を有する帯状で門型の外殻支持フレームと、該外殻支持フレームの後側縁部及び下部外殻の上縁に接し得るように蝶番を介して外殻支持フレームの連結部に連結した後側上部外殻と、外殻支持フレームの前方側に位置するように該外殻支持フレームに取り付けたシート台とを備えている。
【００１１】
また、本発明の請求項２に記載の作業機の上部旋回体では、本発明の請求項１に記載の作業機の上部旋回体の構成に加えて、シート台の機体中心寄り縁部及び下部外殻の上縁に接し得るように蝶番を介してシート台の機体中心寄り縁部に連結した中間上部外殻を備えている。
【００１２】
更に、本発明の請求項３に記載の作業機の上部旋回体では、本発明の請求項２に記載の作業機の上部旋回体の構成に加えて、中間上部外殻の前側縁部が接し得るように旋回フレームに取り付けた仕切壁と、下部外殻の上縁に接し得るように蝶番を介して仕切壁に連結した前側上部外殻とを備えている。
【００１３】
本発明の請求項１乃至請求項３に記載の作業機の上部旋回体のいずれにおいても、後側上部外殻が蝶番を介して連結される外殻支持フレームを、旋回フレームの後端両側にそれぞれ下端部が取り付けられた柱部及び両柱部の上端に連なる連結部によって形成し、後側上部外殻の内部空間の拡張を図り、当該内部空間への点検用開口を拡大する。
【００１４】
また、本発明の請求項２に記載の作業機の上部旋回体においては、シート台に蝶番を介して中間上部外殻を連結し、中間上部外殻の内部空間への点検用開口を拡大する。
【００１５】
更に、本発明の請求項３に記載の作業機の上部旋回体においては、旋回フレームの立設した仕切壁に蝶番を介して前側上部外殻を連結し、前側上部外殻の内部空間への点検用開口を拡大する。
【００１６】
【発明の実施の形態】
以下、本発明の実施の形態を、図示例と共に説明する。
【００１７】
図１乃至図３は本発明の作業機の上部旋回体の実施の形態の一例を示すものであり、この作業機の上部旋回体は、走行体に支持される旋回フレーム１６と、該旋回フレーム１６を周方向に取り囲むように設けた下部外殻１７と、旋回フレーム１６の後端両側にそれぞれ下端部が下部外殻１７の外面に連なるように取り付けられた柱部１８，１９及び該両柱部１８，１９の上端部を連結する連結部２０を有する帯状で門型の外殻支持フレーム２１と、該外殻支持フレーム２１の後側縁部及び下部外殻１７の上縁に接し得るように蝶番２２を介して外殻支持フレーム２１の連結部２０に連結した後側上部外殻２３と、外殻支持フレーム２１の前方側に位置するように該外殻支持フレーム２１に取り付けたシート台２４とを備えている。
【００１８】
上記の外殻支持フレーム２１は、鋳造によって形成されている。
【００１９】
また、シート台２４の機体中心寄り縁部と下部外殻１７の上縁及び外殻支持フレーム２１の連結部２０の前側縁部とに接し得るように形成され、蝶番２５を介してシート台２４の機体中心寄り縁部に連結した中間上部外殻２６と、中間上部外殻２６の前側縁部が接し得るように旋回フレーム１６に取り付けた仕切壁２７と、下部外殻１７の上縁に接し得るように蝶番２８を介して仕切壁２７に連結した前側上部外殻２９とを備えている。
【００２０】
中間上部外殻２６に付帯する蝶番２５は、シート台２４の機体中心寄り縁部の内側にボルト締結されたヒンジ基部材３０と、該ヒンジ基部材３０の先端側にピン３１を介して取付けられたヒンジ可動部材３２とからなり、該ヒンジ可動部材３２の先端が中間上部外殻２６のシート台２４側の縁部近傍にボルト締結されている。
【００２１】
また、シート台２４の機体中心寄り縁部先端には、中間上部外殻２６の縁部下面に密着し得るようにシール部材３３が設けられている。
【００２２】
更に、ヒンジ可動部材３２は、図２に示すように鈎形の断面を有し、可撓性が付与されており、中間上部外殻２６を閉止した場合に、中間上部外殻２６の縁部下面がシール部材３３を押圧するようになっている。
【００２３】
前側上部外殻２９に付帯する蝶番２８は、仕切壁２７の中間上部外殻２６側の壁面にボルト締結されたヒンジ基部材３４と、該ヒンジ基部材３４の先端側にピン３５を介して取付けられたヒンジ可動部材３６とからなり、該ヒンジ可動部材３６の先端が前側上部外殻２９の仕切壁２７側の縁部近傍にボルト締結されている。
【００２４】
また、仕切壁２７の上端形成部材２７ａの先端には、前側上部外殻２９の縁部形成部材２９ａの前面に密着し得るように形成したシール部材３７と、中間上部外殻２６の仕切壁２７側縁部の下面に密着し得るように形成したシール部材３８とが設けられている。
【００２５】
更に、ヒンジ可動部材３６は、図３に示すように鈎形の断面を有し、可撓性が付与されており、前側上部外殻２９を閉止した場合に、前側上部外殻２９の縁部形成部材２９ａの前面がシール部材３７を押圧するようになっている。
【００２６】
図１乃至図３に示す作業機の上部旋回体において、外殻内部に収納されている機器の保守点検を行なうに際しては、外殻支持フレーム２１の連結部２０の後側縁部に蝶番２２を介して連結した後側上部外殻２３を、蝶番２２を中心として回動し後側上部外殻２３の内部を開放して、該後側上部外殻２３の内部に収納されている機器の保守点検を行なう。
【００２７】
また、シート台２４の機体中心寄り縁部に蝶番２５を介して連結した中間上部外殻２６を、蝶番２５を中心に回動し中間上部外殻２６の内部を開放して、該中間上部外殻２６の内部に収納されている機器の保守点検を行なう。
【００２８】
更に、仕切壁２７に蝶番２８を介して連結した前側上部外殻２９を、蝶番２８を中心に回動し前側上部外殻２９の内部を開放して、該前側上部外殻２９の内部に収納されている機器の保守点検を行なう。
【００２９】
このように、図１乃至図３に示す作業機の上部旋回体では、後側上部外殻２３、中間上部外殻２６、前側上部外殻２９のそれぞれを蝶番２２，２５，２８を介して開閉自在に取り付けているので、後側上部外殻２３、中間上部外殻２６、前側上部外殻２９を容易且つ自在に開閉することができ、これに加えて、各上部外殻２３，２６，２９の内部空間への点検用開口の拡大が図られ、各上部外殻２３，２６，２９の内部に収納されている機器の保守・点検作業を容易に行なうことができる。
【００３０】
また、外殻支持フレーム２１の柱部１８，１９を下部外殻１７の外面に連なるように形成し且つ連結部２０を後側上部外殻２３と略同じ高さとしたので、後側上部外殻２３の内部空間の拡張が図られ、外殻支持フレーム２１が保守・点検作業の障害とならず、機器の配置にも余裕が生じる。
【００３１】
なお、本発明の作業機の上部旋回体は上述した実施の形態のみに限定されるものではなく、本発明の要旨を逸脱しない範囲内において種々変更を加え得ることは勿論である。
【００３２】
【発明の効果】
以上述べたように、本発明の作業機の上部旋回体によれば、下記のような種々の優れた効果を奏し得る。
【００３３】
（１）本発明の請求項１乃至請求項３に記載の作業機の上部旋回体のいずれにおいても、後側上部外殻が蝶番を介して連結される外殻支持フレームを、旋回フレームの後端両側にそれぞれ下端部が取り付けられた柱部及び両柱部の上端に連なる連結部によって形成しているので、後側上部外殻の内部空間が拡張されて機器の配置に余裕が生じ、また、当該内部空間への点検用開口が外殻支持フレームの開口断面に等しく拡大されて、上部旋回体の後部側からの機器の保守・点検作業を容易に行なうことができる。
【００３４】
（２）本発明の請求項２に記載の作業機の上部旋回体においては、シート台に蝶番を介して中間上部外殻を連結しているので、中間上部外殻の内部空間への点検用開口が拡大されて、上部旋回体の反シート台側からの機器の保守・点検作業を容易に行なうことができる。
【００３５】
（３）本発明の請求項３に記載の作業機の上部旋回体においては、旋回フレームの立設した仕切壁に蝶番を介して前側上部外殻を連結しているので、前側上部外殻の内部空間への点検用開口が拡大されて、上部旋回体の前端寄り部からの機器の保守・点検作業を容易に行なうことができる。
【図面の簡単な説明】
【図１】本発明の作業機の上部旋回体の実施の形態の一例を示す斜視図である。
【図２】図１に関連する中間上部外殻の蝶番部分の断面図である。
【図３】図１に関連する前側上部外殻の蝶番部分の断面図である。
【図４】従来の作業機の上部旋回体の一例を示す部分切断斜視図である。
【符号の説明】
１６          旋回フレーム
１７          下部外殻
１８          柱部
１９          柱部
２０          連結部
２１          外殻支持フレーム
２２          蝶番
２３          後側上部外殻
２４          シート台
２５          蝶番
２６          中間上部外殻
２７          仕切壁
２８          蝶番
２９          前側上部外殻
【図１】
0004083906.tif 000002
【図２】
0004083906.tif 000003
【図３】
0004083906.tif 000004
【図４】
0004083906.tif 000005